(57)【要約】【課題】  数多くの押え足を交換可能にするだけでなく、縫針、カッター、描画ペン等、縫製作業に必要な複数種類の工具を交換可能にできるようにすることである。【解決手段】  基台テーブル２上に、ベッド部３と脚柱部４とアーム部５とを有するミシン本体を設けるとともに、このミシン本体の右側に、針棒の下端部に設けた針棒チャック部に装着する複数種類の工具を収納した第１工具マガジン１６と、針棒チャック部に装着された工具と第１工具マガジン１６の工具を交換する第１工具交換装置２０とを設け、ミシン本体の左側に、押え棒の下端部に設けた押え棒チャック部に装着する複数種類の工具を収納した第２工具マガジン１８と、押え棒チャック部に装着された工具と第２工具マガジン１８の工具を交換する第２工具交換装置２２とを設けた。【選択図】  図１
2009011553.tif 000002
【特許請求の範囲】
【請求項１】
ミシンモータによりミシン主軸を介して上下駆動される針棒と、加工布を押える押え足を装着する為の押え棒とを備えたミシンにおいて、
前記針棒と押え棒の少なくとも１つの下端部に設けられたチャック部と、
前記チャック部に着脱可能な複数種類の工具と、
前記複数種類の工具を着脱可能に収納した工具マガジンと、
前記チャック部に装着された工具と、前記工具マガジンに収納されている複数種類の工具のうちの１つの工具とを交換する工具交換装置と、
を備えたことを特徴とするミシン。
【請求項２】
前記工具交換装置は、前記チャック部に装着された工具と前記工具マガジンに収納されている１つの工具を夫々把持する１対の把持部を両端部に有する交換アームと、前記交換アームを上下動させる上下駆動機構と、前記交換アームを鉛直軸回りに回転させる回転駆動機構とを有することを特徴とする請求項１に記載のミシン。
【請求項３】
前記針棒の下端部の針棒チャック部と前記押え棒の下端部の押え棒チャック部を設け、  前記針棒チャック部に装着する工具を収納した第１工具マガジンと、前記押え棒チャック部に装着する工具を収納した第２工具マガジンを設け、
前記針棒チャック部に装着された工具と第１工具マガジンの工具を交換する第１工具交換装置と、前記押え棒チャック部に装着された工具と第２工具マガジンの工具とを交換する第２工具交換装置を設けたことを特徴とする請求項１又は２に記載のミシン。
【請求項４】
前記第１工具交換装置により前記針棒チャック部の工具を交換する際に、前記針棒が最上位置に保持する為に前記ミシン主軸の回転をロックさせるロック機構を設けたことを特徴とする請求項３に記載のミシン。
【請求項５】
前記複数種類の工具は、縫針、布押え、加工布を切断する為のカッター、加工布に描画する描画ペン、加工布にハトメをプレスするハンマーを含むことを特徴とする請求項１〜４の何れかに記載のミシン。
【発明の詳細な説明】
【技術分野】
【０００１】
本発明は、ミシンモータによりミシン主軸を介して上下駆動される針棒と、加工布を押える押え足を装着する為の押え棒とを備え、針棒と押え棒の少なくとも１つの下端部に設けたチャック部に、工具マガジンに収納した縫針やカッター等の各種の工具を、工具交換装置で交換しながら装着するようにしたミシンに関する。
【背景技術】
【０００２】
従来、本縫いミシン等の電子ミシンは、下端に縫針を着脱可能に装着する針棒と、下端に押え足を着脱可能に装着する押え棒を備え、針棒はミシンモータにより主軸を介して上下駆動され、押え棒は作業者による操作レバーの操作により布押え位置とこれより上側の退避位置とに切換えるようになっている。ところで、押え棒に装着する押え足は、「直線縫目」や「ジグザグ縫目」、「裁ち目かがり」等、縫製する縫目模様の種類に応じて、適宜交換するようになっている。そこで、これら複数種類の押え足を自動的に交換できるようにしたミシンが種々提案されている。
【０００３】
例えば、特許文献１に記載のミシンの布送え装置は、ミシンの押え棒の下端部に、傘状の取付部材を取付け、この取付部材に、３つの布押えを装着した傘状の押え足支持体を回動自在に支持しておき、押え棒を上昇位置に切換えると、押え足支持体に歯車が噛合するので、エアシリンダの駆動によりロッド及びレバーの上下動を介してこの歯車が所定角度ずつ回動するのと同時に、押え足支持体が所定角度ずつ回動され、異なる押え足が押え棒の下端位置に位置決めされる。
【特許文献１】特開平４−９１８４号公報（第５〜９頁、図２，図４）
【発明の開示】
【発明が解決しようとする課題】
【０００４】
特許文献１に記載のミシンの布押え装置においては、傘状の押え足支持体に３つの布押えが装着してあるだけなので、３種類の押え足しか交換することができないという問題がある。そこで、押え足支持体に装着する押え足の数を増やして、交換可能な押え足の個数を増やすには、多数の押え足を装着する押え足支持体の半径を大きく、つまり押え足支持体を大型化する必要がある。
【０００５】
そうすると、この大型化した押え足支持体を駆動させる駆動装置も大型化し、結果的に、ミシン本体が大型化するという問題がある。更に、エアシリンダの駆動によりロッドを介してレバーの上下動で歯車を所定角度ずつ駆動し、この歯車に噛合する押え足支持体を所定角度ずつ駆動させる駆動方式なので、押え足の数が多くなった場合、押え足交換が非常に遅くなるという問題がある。
【０００６】
本発明の目的は、数多くの押え足を交換可能にするだけでなく、縫針、カッター、描画ペン等、縫製作業に必要な複数種類の工具を交換可能にできるようにすることである。
【課題を解決するための手段】
【０００７】
請求項１のミシンは、ミシンモータによりミシン主軸を介して上下駆動される針棒と、加工布を押える押え足を装着する為の押え棒とを備えたミシンにおいて、針棒と押え棒の少なくとも１つの下端部に設けられたチャック部と、チャック部に着脱可能な複数種類の工具と、複数種類の工具を着脱可能に収納した工具マガジンと、チャック部に装着された工具と、工具マガジンに収納されている複数種類の工具のうちの１つの工具とを交換する工具交換装置とを備えたものである。
【０００８】
針棒と押え棒の少なくとも１つの下端部にチャック部が設けられ、しかも工具マガジンに複数種類の工具が収納されているので、工具交換装置により、工具マガジンに収納された複数の工具のうちの１つが取外されて、チャック部に装着される。また、工具交換装置により、チャック部に装着されている工具が取外されて、工具マガジンに収納される。即ち、チャック部に装着された工具と、工具マガジンに収納されている複数種類の工具のうちの１つの工具とが交換される。
【０００９】
請求項２のミシンは、請求項１において、前記工具交換装置は、チャック部に装着された工具と工具マガジンに収納されている１つの工具を夫々把持する１対の把持部を両端部に有する交換アームと、交換アームを上下動させる上下駆動機構と、交換アームを鉛直軸回りに回転させる回転駆動機構とを有するものである。
【００１０】
請求項３のミシンは、請求項１又は２において、前記針棒の下端部の針棒チャック部と押え棒の下端部の押え棒チャック部を設け、針棒チャック部に装着する工具を収納した第１工具マガジンと、押え棒チャック部に装着する工具を収納した第２工具マガジンを設け、針棒チャック部に装着された工具と第１工具マガジンの工具を交換する第１工具交換装置と、押え棒チャック部に装着された工具と第２工具マガジンの工具とを交換する第２工具交換装置を設けたものである。
【００１１】
請求項４のミシンは、請求項３において、前記第１工具交換装置により針棒チャック部の工具を交換する際に、針棒が最上位置に保持する為にミシン主軸の回転をロックさせるロック機構を設けたものである。
【００１２】
請求項５のミシンは、請求項１〜４の何れかにおいて、前記複数種類の工具は、縫針、布押え、加工布を切断する為のカッター、加工布に描画する描画ペン、加工布にハトメをプレスするハンマーを含むものである。
【発明の効果】
【００１３】
請求項１の発明によれば、ミシンモータによりミシン主軸を介して上下駆動される針棒と、加工布を押える押え足を装着する為の押え棒とを備えたミシンにおいて、チャック部と、複数種類の工具と、工具マガジンと、工具交換装置とを備えたので、複数種類の工具を工具マガジンに予め装着しておくことで、必要に応じて工具交換装置を適宜駆動させることにより、チャック部に装着された工具と、工具マガジンに収納されている複数種類の工具のうちの１つの工具と交換することができる。
【００１４】
ここで、工具として、押え足を有する工具だけでなく、縫針、カッター、描画ペン、加工布にハトメをプレスするハンマー等を有する複数種類の工具を予め準備することで、ミシンを大型化させることなく、数多くの押え足を適宜交換できるようになるだけでなく、縫針、カッター、描画ペン、ハンマー等、縫製作業に必要な複数種類の工具を適宜交換することができる。また、工具マガジンや工具交換装置を駆動させるのに、駆動モータを採用することで、工具交換作業の高速化を図ることができる。
【００１５】
請求項２の発明によれば、前記工具交換装置は、チャック部に装着された工具と工具マガジンに収納されている１つの工具を夫々把持する１対の把持部を両端部に有する交換アームと、交換アームを上下動させる上下駆動機構と、交換アームを鉛直軸回りに回転させる回転駆動機構とを有するので、先ず、交換アームを回転させて、チャック部の工具と工具マガジンに収納されている１つの工具を交換アーム１対の把持部に夫々把持させた状態で、交換アームを下降させて、これら１対の工具を１対の把持部に受け渡しておき、更に、交換アームを回転させてから上昇させることにより、チャック部に装着された工具と工具マガジンに収納されている１つの工具を迅速に且つ確実に交換することができる。その他請求項１と同様の効果を奏する。
【００１６】
請求項３の発明によれば、前記針棒の下端部の針棒チャック部と押え棒の下端部の押え棒チャック部を設け、針棒チャック部に装着する工具を収納した第１工具マガジンと、押え棒チャック部に装着する工具を収納した第２工具マガジンを設け、針棒チャック部に装着された工具と第１工具マガジンの工具を交換する第１工具交換装置と、押え棒チャック部に装着された工具と第２工具マガジンの工具とを交換する第２工具交換装置を設けたので、第１工具交換装置により針棒チャック部の工具と第１工具マガジンに収納された複数種類の工具のうちの１つの工具とを迅速に且つ一気に交換することができる。しかも、第２工具交換装置により押え棒チャック部の工具と第２工具マガジンに収納された複数種類の工具のうちの１つの工具とを迅速に且つ一気に交換することができる。その他請求項１又は２と同様の効果を奏する。
【００１７】
請求項４の発明によれば、前記第１工具交換装置により針棒チャック部の工具を交換する際に、針棒が最上位置に保持する為にミシン主軸の回転をロックさせるロック機構を設けたので、工具交換に際して、このロック機構によりミシン主軸が回転しないようにロックして針棒の高さ位置を位置決めすることができ、工具交換作業を迅速に且つ正確に行なうことができる。その他請求項３と同様の効果を奏する。
【００１８】
請求項５の発明によれば、前記複数種類の工具は、縫針、布押え、加工布を切断する為のカッター、加工布に描画する描画ペン、加工布にハトメをプレスするハンマーを含むので、これらの工具を組み合わせて用いることにより、加工布の縫製だけでなく、加工布の裁断、加工布に縫製線を描いたり印しを付ける、加工布にハトメをプレスする等、縫製に関連する種々の作業を行なうことができる。その他請求項１〜４の何れかと同様の効果を奏する。
【発明を実施するための最良の形態】
【００１９】
本実施例の模様縫いミシンは、針棒の下端部と押え棒の下端部とに夫々チャック部を設け、針棒チャック部に装着された工具と第１工具マガジンに収納されている複数種類の工具のうちの１つとを第１工具交換装置で交換し、押え棒チャック部に装着された工具と第２工具マガジンに収納されている複数種類の工具のうちの１つとを第２工具交換装置で交換できるようにしてある。
【実施例】
【００２０】
図１〜図３に示すように、模様縫いミシン１は基台テーブル２上に載置され、ベッド部３と、このベッド部３の後端部から立設された脚柱部４と、この脚柱部４の上端部からベッド部３に対向するように前方へ延びるアーム部５と、布保持機構９と、布送り装置１０とを有している。
【００２１】
この模様縫いミシン１には、更に、針棒７（図６、図７参照）の下端部に設けられた針棒チャック部１２と、押え棒８（図６参照）の下端部に設けられた押え棒チャック部１４（図６参照）と、針棒チャック部１２に装着する複数種類の工具３０，３５，４０，４５（図４、図９〜図１１参照）を収納した第１工具マガジン１６と、押え棒チャック部１４に装着する複数種類の工具５０，５５，６０（図１２〜図１４参照）を収納した第２工具マガジン１８と、針棒チャック部１２に装着された工具３０，３５，４０，４５と第１工具マガジン１６の工具３０，３５，４０，４５を交換する第１工具交換装置２０と、押え棒チャック部１４に装着された工具５０，５５，６０と第２工具マガジン１８の工具５０，５５，６０とを交換する第２工具交換装置２２等が設けられている。
【００２２】
即ち、図１に示すように、これら第１工具マガジン１６と第２工具マガジン１８とは模様縫いミシン１のアーム部５に対してほぼ左右対称の位置に夫々設けられるとともに、これら第１工具交換装置２０と第２工具交換装置２２とは模様縫いミシン１のアーム部５に対してほぼ左右対称の位置に夫々設けられている。
【００２３】
アーム部５の内部にミシン主軸２４（図２０参照）が配設され、アーム部５の後端部には、このミシン主軸２４を回転駆動させるミシンモータ２５が設けられるとともに、針棒７を最上位置に保持する為にミシン主軸２４の回転をロックさせるロック機構２６（図２０参照）が設けられている。アーム部５の前方の内部には、針棒７と押え棒８とが夫々上下動自在に配設されるとともに、ミシン主軸２４の回転により針棒７を上下駆動する針棒上下駆動機構２７（図２０参照）等が設けられている。これら針棒７、押え棒８、針棒上下駆動機構２７は公知の技術であるため、ここではその詳細な説明を省略する。
【００２４】
ベッド部３には、後述する布保持機構９と、この布保持機構９をＹ方向（前後方向）及びＸ方向（左右方向）に移動させる布送り装置１０に加え、図示を省略するが、針棒７の上下動と調時して模様縫目を形成する回転釜と、ミシンモータ２５の回転駆動力をミシン主軸２４に連結した連結ロッドを介して回転釜に伝達する下軸等が設けられている。
【００２５】
ベッド部３の上面に矩形状の板材からなる載置テーブル６が固定されている。この載置テーブル６の左右方向中央部の後半部分に形成された短冊状の切欠き部に臨むように、側面視にて湾曲状で片持ち状に支持された押え腕９ａの基端部（後端部）が配置され、図示しないＸ方向移動体の上面に固定されている。その押え腕９ａの先端部には、平面視にて矩形枠状の布保持枠９ｂが上下動可能に設けられている。この上側の布保持枠９ｂを下降させた押圧位置に切換えることで、縫製に供する加工布がこの上側の布保持枠９ｂと下側に配設された矩形状の板材からなる布受け板９ｃとで保持する布保持機構９（図示略）が設けられている。
【００２６】
また、ベッド部３の内部には、その布保持機構９をＸ方向駆動モータ１０ａ（図２３参照）でＸ方向に移動させるＸ方向駆動機構（図示略）と、布保持機構９をＹ方向駆動モータ１０ｂ（図２３参照）でＹ方向に移動させるＹ方向駆動機構（図示略）とを有する布送り装置１０（図示略）が設けられている。これら布保持機構９と布送り装置１０とは、何れも周知の技術なので、ここではその詳細な説明を省略する。
【００２７】
次に、後述する針棒チャック部１２と、押え棒チャック部１４に着脱可能で、工具ホルダ３１，３６，４１，４６，５１，５６，６１を有する複数種類の工具３０，３５，４０，４５，５０，５５、６０について説明する。但し、これら複数種類の工具３０，３５，４０，４５，５０，５５、６０の工具ホルダ３１，３６，４１，４６，５１，５６，６１は同様に構成されているので、ここでは、縫針を工具本体３２として下端部に装着した工具３０について説明する。
【００２８】
図４、図５に示すように、工具３０は、工具ホルダ３１と、この工具ホルダ３１に着脱可能に装着された縫針である工具本体３２として有している。
【００２９】
この工具ホルダ３１はぼぼ円筒状であり、上端部分の係合軸部３１ａと、この係合軸部３１ａの下端から下方へ連なる第１環状テーパ面３１ｂと、この第１環状テーパ面３１ｂの下端から下方へ連なる第２環状テーパ面３１ｃと、この第２環状テーパ面３１ｃから下方へ連なる工具取付け部３１ｄと、この工具取付け部３１ｄから下方へ連なる環状Ｖ溝３１ｅと、縫針である工具本体３２の上端部を取付ける取付け穴３１ｆと、位置決めキー３０ａ等を有している。
【００３０】
係合軸部３１ａの下部の外周部には、括れ状の環状凹溝３１ｇが形成され、針棒チャック部１２に設けられた後述するボールロック機構１３の鋼球１３ａ（ボール）に係合可能になっている。第１環状テーパ面３１ｂは、環状凹溝３１ｇの下端に連続し且つ水平面とのなす第１傾斜角度を約４５°とするように形成されている。第１環状テーパ面３１ｂの下側に連続する第２環状テーパ面３１ｃは、水平面とのなす第２傾斜角度が第１環状テーパ面３１ｂの第１傾斜角度よりも大きな約７０°となるように形成されている。
【００３１】
工具取付け部３１ｄは、円筒状であり、内部に下向きの取付け穴３１ｆが形成されている。そこで、工具本体３２は、この上端部を取付け穴３１ｆに挿入した状態でセット螺子３３により着脱可能に固定されている。この工具取付け部３１ｄの一側部に縦長の糸ガイド部材３４の上端部が固定螺子３４ａにより固定されている。環状Ｖ溝３１ｅは、後述する第１工具交換装置２０の第１交換アーム２０Ａを回転させて工具３０を交換する際に、第１交換アーム２０Ａの先端部の第１把持部９６ａ又は第２把持部９７ａで把持するために形成されている。
【００３２】
工具ホルダ３１の第２環状テーパ面３１ｃから工具取付け部３１ｄの上半部分に亙る一側部において、正面視にてほぼ小判状（図８参照）の位置決めキー３０ａが接着材により固定されている。即ち、この位置決めキー３０ａは、工具取付け部３１ｄの外周面から部分的に外方に突出状している。それ故、この工具本体３２を有する工具３０を後述する針棒チャック部１２に装着したときに、位置決めキー３０ａの上端部が針棒チャック部１２のキー溝１２ｇ（図７参照）に係合し、工具３０の針棒チャック部１２に対する取付け位相を合わせるようになっている。
【００３３】
次に、針棒７の下端部に設けられた針棒チャック部１２について説明する。
図６、図７に示すように、針棒チャック部１２は、針棒７の下端部に螺着されたブロック状のチャック本体１２ａと、このチャック本体１２ａに設けられた３組のボールロック機構１３等を有する。針棒７の下端部には針棒メタル７ｂが装着されている。
【００３４】
チャック本体１２ａには、図６に示すように、水平面で１２０°おきに３つのロック機構形成部１２ｂが放射状に形成されるとともに、チャック本体１２ａの中央部から上方に延びる固定軸部１２ｃが一体的に形成されている。そこで、チャック本体１２ａは、この固定軸部１２ｃに形成した雄螺子を針棒７の下端部に形成した固定穴７ａの雌螺子に螺合させることで、針棒７の下端部に固定されている。３つのロック機構形成部１２ｂの各々には、後述するボールロック機構１３が夫々設けられている。
【００３５】
チャック本体１２ａの内部には、図７に示すように、例えば工具３０の工具ホルダ３１の上端部を装着するために、工具ホルダ３１の係合軸部３１ａが内嵌する係合穴１２ｄと、この係合穴１２ｄの下端に連なり第１環状テーパ面３１ｂと密着状に係合可能な第１環状係合面１２ｅと、この第１環状係合面１２ｅの下端に連なり第２環状テーパ面３１ｃと密着状に係合可能な第２環状係合面１２ｆとが形成されている。
【００３６】
係合穴１２ｄは下向きに形成されたほぼ円筒状の穴であり、この係合穴１２ｄの下側に連続する第１環状係合面１２ｅの下端の外形寸法は係合穴１２ｄの外形寸法よりも大きく、この第１環状係合面１２ｅの下側に連続する第２環状係合面１２ｆの下端の外形寸法は第１環状係合面１２ｅの下端の外形寸法よりも大きくなっている。ここで、この第２環状係合面１２ｆの一側部には、図７に示すように、位置決めキー３０ａの上端部が嵌め込まれる、ほぼ半円状のキー溝１２ｇが凹設されている。
【００３７】
次に、３つのロック機構形成部１２ｂの各々に設けられたボールロック機構１３について説明する。但し、これら３組のボールロック機構１３は同様の構造なので、そのうちの１つのロック機構形成部１２ｂに設けられたボールロック機構１３について説明する。
【００３８】
係合穴１２ｄの高さ方向中段部には、ロック機構形成部１２ｂに向かう横向きのテーパ状連通穴１２ｈが形成されている。このロック機構形成部１２ｂの内部には、このテーパ状連通穴１２ｈに連続する円筒穴１２ｉが横向きに形成されている。テーパ状連通穴１２ｈに金属製の鋼球１３ａが嵌め込まれ、円筒穴１２ｉには奥側から円座１３ｂと、圧縮コイルバネ１３ｃが内装され、外側からバネ押え螺子１３ｄが螺着されている。
【００３９】
この場合、テーパ状連通穴１２ｈの鋼球１３ａは圧縮コイルバネ１３ｃのバネ力により円座１３ｂを介して係合穴１２ｄの方に付勢されるので、鋼球１３ａの一部が係合穴１２ｄの内部に臨んでいる。それ故、図４に示す工具３０の工具ホルダ３１を図７に示す針棒チャック部１２に下側から装着すると、鋼球１３ａは、工具ホルダ３１の係合軸部３１ａが通過するときに、圧縮コイルバネ１３ｃのバネ力に抗して一時的に外側に移動するが、環状凹溝３１ｇに対応するとき、元の係合位置に復帰して環状凹溝３１ｇの上側を押圧する。
【００４０】
このとき、図８に示すように、工具ホルダ３１の係合軸部３１ａが係合穴１２ｄに係合し、第１環状テーパ面３１ｂが第１環状係合面１２ｅに係合し、第２環状テーパ面３１ｃが第２環状係合面１２ｆに係合される。このようにして、縫針を工具本体３２とする工具３０は、工具ホルダ３１を介して針棒チャック部１２に容易に且つ確実に装着される。
【００４１】
押え足を工具本体５２として下端部に装着した工具５０について説明する。
図１２に示すように、工具５０は、工具ホルダ５１と、この工具ホルダ５１に着脱可能に装着された押え足を工具本体５２として有している。この工具ホルダ５１は、上端部分の係合軸部５１ａと、この係合軸部５１ａの下端から下方へ連なる第１環状テーパ面５１ｂと、この第１環状テーパ面５１ｂの下端から下方へ連なる第２環状テーパ面５１ｃと、この第２環状テーパ面５１ｃから下方へ連なる工具取付け部５１ｄと、この工具取付け部５１ｄから下方へ連なる環状Ｖ溝５１ｅと、押え足である工具本体５２の上端部を取付ける取付け穴（図示略）と、位置決めキー（図示略）等を有している。
【００４２】
押え棒８の下端部に設けられた押え棒チャック部１４は、図６に示すように、前述した針棒チャック部１２と同様に構成され、ブロック状のチャック本体１４ａと、このチャック本体１４ａに設けられた３組のボールロック機構（図示略）等を有する。そして、チャック本体１４ａの内部に、図示を省略するが、上側から係合穴と第１環状係合面と第２環状係合面が順次形成されている。
【００４３】
押え棒８の下端部には押え棒メタル８ｂが装着されている。それ故、図１２に示す押え足を工具本体５２とする工具５０が押え棒チャック部１４に装着されると、工具ホルダ５１の係合軸部５１ａが係合穴に係合され、第１環状テーパ面５１ｂが第１環状係合面に係合し、第２環状テーパ面５１ｃが第２環状係合面に係合される。
【００４４】
このようにして、工具５０は、工具ホルダ５１を介して押え棒チャック部１４に容易に且つ確実に装着される。ここで、押え棒８は押え棒モータ１５２（図２３参照）により、針板３Ａ（図２０参照）上で加工布を押圧する押圧位置と、この押圧位置よりも上昇した上昇位置とに亙って移動可能になっている。そこで、工具交換に際しては、押え棒８は押え棒モータ１５２により上昇位置に上昇し、縫製作業を行なうに際して、押え棒８は押え棒モータ１５２により押圧位置に下降するように構成されている。
【００４５】
前述した工具３０，５０以外に、複数種類の工具３５，４０，４５，５５，６０が準備されている。工具３５は図９に示すように、描画ペンを工具本体３７として工具ホルダ３６に保持されている。工具４０は図１０に示すように、カッターを工具本体４２として工具ホルダ４１に保持されている。工具４５は図１１に示すように、ハトメプレスを工具本体４７として工具ホルダ４６に保持されている。工具５５は図１３に示すように、カッター用押えを工具本体５７として工具ホルダ５６に保持されている。
【００４６】
工具６０は図１４に示すように、ハトメホルダーを工具本体６２として工具ホルダ６１に保持されている。ここで、工具本体４７であるハトメプレスは、紐を通す丸穴を補強するハトメをカシメにより生地に取付ける為に使用する。工具本体５７であるカッター用押えは、カッター（工具本体４２）による加工布の切断時に加工布を押える為に使用する。工具本体６２であるハトメホルダーは、ハトメを保持し且つ加工布の浮き上がりを防止する為に使用する。
【００４７】
これら縫針、描画ペン、カッター、ハトメプレス、押え足、カッター用押え、ハトメホルダーを有する工具３０，３５，４０，４５，５０，５５、６０の各々は、工具ホルダ３１，３６，４１，４６，５１，５６，６１に夫々支持されている。
【００４８】
そこで、これら工具ホルダ３１，３６，４１，４６，５１，５６，６１の各々には、係合軸部３１ａ，３６ａ，４１ａ，４６ａ，５１ａ，５６ａ，６１ａと、第１環状テーパ面３１ｂ，３６ｂ，４１ｂ，４６ｂ，５１ｂ，５６ｂ，６１ｂと、第２環状テーパ面３１ｃ，３６ｃ，４１ｃ，４６ｃ，５１ｃ，５６ｃ，６１ｃとが夫々形成されている。これら工具３０，３５，４０，４５は針棒チャック部１２に装着され、これら工具５０，５５、６０は押え棒チャック部１４に装着されるようになっている。
【００４９】
特に、これら工具４０，４５，５０，５５，６０における工具ホルダ４１，４６，５１，５６，６１のホルダ中心線ＨＣと、工具本体４２，４７，５２，５７，６２の工具中心線ＫＣとは夫々シフトしている。これら工具４０，４５を針棒チャック部１２に装着して使用する場合、針棒チャック部１２には大きな曲げモーメントが作用する。これら工具５０，５５，６０を押え棒チャック部１４に装着して使用する場合、押え棒チャック部１４には大きな曲げモーメントが作用する。
【００５０】
次に、針棒チャック部１２に装着する前述した複数種類の工具３０，３５，４０，４５を収納した第１工具マガジン１６について説明する。
図１，図２，図１５，図１６に示すように、この第１工具マガジン１６は、載置板６５上に設けられており、複数種類の工具３０，３５，４０，４５を装着する第１マガジン部１６Ａと、この第１マガジン部１６Ａを回転させる第１回転駆動機構１６Ｂとを有する。そこで、先ず、第１マガジン部１６Ａについて説明する。
【００５１】
第１マガジン部１６Ａは、装着円板６７と、８つのマガジンチャック６８と、回転軸６９等を有する。装着円板６７は、所定の厚さを有する金属製の円板からなっている。この装着円板６７の外周近傍部において、８つの装着部が所定間隔おきに設けられ、装着部の各々には、マガジンチャック６８が固定螺子により夫々固定されている。
【００５２】
これらマガジンチャック６８は、前述した針棒チャック部１２に有するチャック機構（係合穴１２ｄ、第１及び第２環状係合面１２ｅ，１２ｆ、ボールロック機構１３）と同様に構成されている。それ故、前述した複数種類の工具３０，３５，４０，４５がマガジンチャック６８に装着して収納可能になっている。
【００５３】
載置板６５の上側に円筒状の外筒７１が立設され、第１カラー７２が外筒７１の内部の中段部に形成された係止鍔部７１ａに上側から回転可能に支持されている。装着円板６７の中央部の下側に縦向きの回転軸６９の上端部が固着されている。装着円板６７は、この中央部の下側に設けたリング部材７３を介して第１カラー７２に回転可能に支持されている。
【００５４】
回転軸６９の下端部には、透明な薄板からなるディスク板７５が回転軸６９に固着した第２カラー７６を介して固着されている。そこで、第１位置検出センサ７７（図２３参照）によりディスク板７５の表面に放射状に形成された複数本の細線が検出されるので、制御装置１４５が第１位置検出センサ７７から出力される位置検出信号に基づいて、装着円板６７の４５°ずつの回転位置を検出可能になっている。
【００５５】
次に、第１回転駆動機構１６Ｂは、第１マガジンモータ８０と、この第１マガジンモータ８０に連結されたウォームギヤ８１と、このウォームギヤ８１に噛合するウォームホイール８２等を有する。第１マガジンモータ８０は、ステッピングモータからなり、Ｌ字状取付け板８４を介して載置板６５上に水平姿勢で前向きに固着されている。この第１マガジンモータ８０の駆動軸に、カップリング８５を介してウォームギヤ８１が連結され、このウォームギヤ８１は下駄状の支持部材８６で回転可能に支持されている。一方、回転軸６９の下半部分にウォームホイール８２が固着され、ウォームギヤ８１に噛合している。
【００５６】
それ故、第１マガジンモータ８０が回転駆動されると、カップリング８５を介してウォームギヤ８１が回転し、これに噛合するウォームホイール８２が回転するので、このウォームホイール８２に固着された回転軸６９が回転し、装着円板６７が鉛直軸周りに回転する。このとき、装着円板６７が４５°回転する毎に、第１位置検出センサ７７から出力される位置検出信号に基づいて装着円板６７の回転位置が検出される。
【００５７】
次に、押え棒チャック部１４に装着する前述した複数種類の工具５０，５５，５０を収納した第２工具マガジン１８について、図１，図２に基づいて説明する。この第２工具マガジン１８は、複数種類の工具５０，５５、６０を装着する第２マガジン部１８Ａと、この第２マガジン部１８Ａを第２マガジンモータ８８で回転させる第２回転駆動部１８Ｂとを有し、前述した第１工具マガジン１６と同様に構成されているので、その詳細な説明を省略する。
【００５８】
次に、針棒チャック部１２の工具３０，３５，４０，４５と第１工具マガジン１６の工具３０，３５，４０，４５を交換する第１工具交換装置２０について説明する。
図１，図３，図１７，図１８に示すように、アーム部５の右側面に接近させて側面視ほぼコ字状の右側支持フレーム９３が配設され、アーム部５の上側に渡された左右方向に長い支持板１１と、アーム部５の前面の面板５Ａとにより支持されている。
【００５９】
第１工具交換装置２０は、この右側支持フレーム９３と、この右側支持フレーム９３に回転可能に且つ上下動可能に支持された直線状の第１交換アーム２０Ａと、右側支持フレーム９３内に設けられ第１交換アーム２０Ａを上下動させる第１上下駆動機構２０Ｂと、右側支持フレーム９３内に設けられ第１交換アーム２０Ａを鉛直軸周りに回転させる第１回転駆動機構２０Ｃを有する。
【００６０】
図１，図２，図１７〜図１９に示すように、第１交換アーム２０Ａは平面視にて直線状であり、中央部のアーム本体部９５と、このアーム本体部９５に、この中心に対して点対称となるように長さ方向に向けて固着された第１把持部材９６及び第２把持部材９７等から構成され、アーム本体部９５の中央部に、後述する上下方向に延びる回転軸１０７の下端部が固着されている。
【００６１】
第１把持部材９６には、先端部に凸部を有する第１把持部９６ａが形成されるとともに、長さ方向途中部に支持部９６ｂが形成されている。この第１把持部材９６と平衡な把持軸９８は、支持部９６ｂを挿通し且つ後端部分をアーム本体部９５に部分的に嵌入させることで支持されている。この把持軸９８の先端部には、算盤珠のような把持ローラ９９が鉛直周りに回転可能に支持されている。更に、支持部９６ｂとアーム本体部９５との間に圧縮コイルバネからなる把持バネ１００が介装されている。それ故、把持軸９８はその先端部側に常に弾性付勢されている。
【００６２】
ここで、後述するように、前述した工具３０，３５，４０，４５を第１把持部９６ａで把持するに際して、工具ホルダ３１，３５，４１，４６の環状Ｖ溝３１ｅ，３５ｅ，４１ｅ，４６ｅに当接して、把持ローラ９９と協働して工具３０，３５，４０，４５を水平状に且つ安定姿勢で保持できるように、第１把持部９６ａには、先端部が第１把持部９６ａの内部に突出する係合ピン（図示略）が設けられている。
【００６３】
第２把持部材９７は第１把持部材９６と同様に構成されている。把持ローラ９９を先端部に有する把持軸９８は、支持部９７ｂを挿通し且つ後端部分をアーム本体部９５に部分的に嵌入させることで支持され、支持部９７ｂとアーム本体部９５との間に介装された把持バネ１００のバネ力により、先端部側に常に弾性付勢されている。第２把持部９７ｂには係合ピン１０１が設けられている。
【００６４】
それ故、図１９において、第１交換アーム２０Ａが後述する第１回転駆動機構２０Ｃにより平面視にて反時計回りに回転するとき、何れか１つの工具３０，３５，４０，４５が第１把持部材９６の第１把持部９６ａに把持され、何れか１つの工具３０，３５，４０，４５が第２把持部材９７の第２把持部９７ａに把持される。
【００６５】
次に、第１交換アーム２０Ａを上下動させる第１上下駆動機構２０Ｂについて説明する。この第１上下駆動機構２０Ｂは、第１上下動エアシリンダ１０５と、ボールスプライン機構１０６と、回転軸１０７と、カバー体１０８等を有している。第１上下動エアシリンダ１０５は、復動型であり、右側支持フレーム９３の上面に下向きに固定されている。
【００６６】
ボールスプライン機構１０６について説明する。第１上下動エアシリンダ１０５から下向きに延びるピストンロッド１０５ａの直ぐ下側において、上下方向向きのスプライン軸１１１が配設され、このスプライン軸１１１の直ぐ外側に外筒１１３が配設されている。一方、スプライン軸１１１を内包するように円筒状のカバー体１０８が配設され、この上端部において、右側支持フレーム９３に支持されている。このスプライン軸１１１の下側に回転軸１０７が配設され、スプライン軸１１１の下端部と回転軸１０７の上端部とがカップリング１１２により一体的に連結されている。
【００６７】
そこで、外筒１１３はこの外側に配設された深溝玉軸受け１１４を介してカバー体１０８に、上下動可能に且つ回転可能に支持されている。また、回転軸１０７は下側のスラスト軸受け１１５を介してカバー体１０８に、上下動可能に且つ回転可能に支持されている。即ち、外筒１１３とスプライン軸１１１との間に配設された多数の鋼球（図示略）が、スプライン軸１１１の外周面に縦向きに形成された複数本のスプライン溝（図示略）を上下方向に転走するように、つまり外筒１１３がスプライン軸１１１上を無限直線運動する直動案内機器として作用するように構成されている。
【００６８】
上下方向向きに配設された連結ロッド１１０の上端部と下端部とに夫々螺子が形成され、連結ロッド１１０の上端部が第１上下動エアシリンダ１０５のピストンロッド１０５ａに螺着され、連結ロッド１１０の下端部がスプライン軸１１１の上端部に回転可能に連結されている。更に、回転軸１０７の下端部が第１交換アーム２０Ａの中央部に連結されている。従って、第１上下動エアシリンダ１０５が進出駆動と退入駆動されると、ピストンロッド１０５ａが下方又は上方に移動するので、連結ロッド１１０と、ボールスプライン機構１０６（スプライン軸１１１と外筒１１３）と、回転軸１０７を介して、第１交換アーム２０Ａが所定ストロークに亙って上下動する。
【００６９】
次に、第１交換アーム２０Ａを鉛直軸周りに回転させる第１回転駆動機構２０Ｃについて説明する。
この第１回転駆動機構２０Ｃは、第１回転用モータ１２０と、駆動ギヤ１２１及び従動ギヤ１２２と、前述したボールスプライン機構１０６と、回転軸１０７と、カバー体１０８等を有している。
【００７０】
第１回転用モータ１２０は、ステッピングモータからなり、右側支持フレーム９３に支持されている。第１回転用モータ１２０の駆動軸に小径の駆動ギヤ１２１が固着されている。従動ギヤ１２２はほぼドーナツ状であり、外筒１１３に固定ネジ１２３により連結され、駆動ギヤ１２１に噛合している。従って、第１回転用モータ１２０が任意の方向に回転駆動されると、駆動ギヤ１２１と従動ギヤ１２２とが一体回転し、従動ギヤ１２２に連結された外筒１１３が回転するので、ボールスプライン機構１０６（外筒１１３とスプライン軸１１１）と、回転軸１０７を介して、第１交換アーム２０Ａが所定角度に亙って回転する。
【００７１】
従動ギヤ１２２の上面の外周部の複数箇所に、小型で金属製の位置検出片１２４が所定角度おきに固着されている。そこで、第２位置検出センサ１２５（図２３参照）はこれら位置検出片１２４を検出する毎に位置検出信号を出力するので、制御装置１４５がこの第２位置検出センサ１２５から出力される位置検出信号に基づいて、第１交換アーム２０Ａの回転位置を検出可能になっている。
【００７２】
次に、押え棒チャック部１４の工具５０，５５、６０と第２工具マガジン１８の工具５０，５５、６０を交換する第２工具交換装置２２について説明する。但し、この第２工具交換装置２２は、支持板１１と面板５Ａにより支持された左側支持フレーム１２８と、この左側支持フレーム１２８に回転可能に且つ上下動可能に支持された直線状の第２交換アーム２２Ａと、この左側支持フレーム１２８内に設けられ第２交換アーム２２Ａを上下動させる第２上下駆動機構（図示略）と、左側支持フレーム１２８内に設けられ第２交換アーム２２Ａを鉛直軸周りに回転させる第２回転駆動機構（図示略）を有し、前述した第１工具交換装置２０と同様に構成されている。
【００７３】
即ち、第２上下駆動機構に第２上下動エアシリンダ１３０（図２３参照）が設けられているので、第２交換アーム２２Ａはこの第２上下動エアシリンダ１３０で上下動される。また、第２回転駆動機構に第２回転用モータ１３２（図２３参照）が設けられているので、第２交換アーム２２Ａはこの第２回転用モータ１３２で鉛直軸周りに回転される。
【００７４】
次に、針棒７を最上位置に保持する為にミシン主軸２４の回転をロックさせるロック機構２６について説明する。
図２０に示すように、ロック機構２６は、ミシン主軸２４に設けられたロック用ディスク板１３５と、このロック用ディスク板１３５の係合穴１３５ａにロックピン１３６を係合させる駆動レバー１３７と、案内軸１３８と、ロックソレノイド１３９等を有する。図２０，図２１に示すように、ロック用係合ディスク板は円形であり、ミシン主軸２４の後端近傍部に固着されている。
【００７５】
ロック用ディスク板１３５の直ぐ前側に左右向きの駆動レバー１３７が配設され、左端近傍部において、前後方向向きの案内軸１３８に固着されている。この案内軸１３８は図示しない支持部材で前後方向に往復移動可能に支持されている。駆動レバー１３７の右端部にロックピン１３６が後方向きに固着され、ロック用ディスク板１３５には、図２２に示すように、このロックピン１３６が嵌入可能なテーパ状の係合穴１３５ａが形成されている。
【００７６】
駆動レバー１３７は案内軸１３８と共に、ロックピン１３６が係合穴１３５ａから外れる前側の非係合位置（図２１に実線で図示）と、非係合位置から所定距離だけ後方であって、ロックピン１３６が係合穴１３５ａに係合する後側の係合位置（図２０に実線で図示）とに亙ってスライド可能になっている。この駆動レバー１３７は、案内軸１３８に外装した圧縮コイルバネ１４０のバネ力により、常には前側の非係合位置に位置している。
【００７７】
駆動レバー１３７の左端部の前側に、縦向きの支持螺子により水平面で回動可能な回動板１４１が配設され、ロックソレノイド１３９がこのプランジャにより回動板１４１を回動可能、つまり平面視にて反時計回りに回動可能になっている。ロックソレノイド１３９に通電されない場合には、案内軸１３８と駆動レバー１３７は、圧縮コイルバネ１４０のバネ力により前側の非係合位置（図２１参照）に待機している。
【００７８】
工具交換に際して、ロックソレノイド１３９に通電された場合には、回動板１４１が反時計回りに回動して駆動レバー１３７を後方に押すので、駆動レバー１３７は案内軸１３８で案内されながら、圧縮コイルバネ１４０のバネ力に抗して係合位置（図２０参照）に移動する。このとき、係合穴１３５ａはテーパ状なので、ロックピン１３６がテーパを介して係合穴１３５ａに容易に且つ確実に係合し、ミシン主軸２４の回転がその最上位置においてロックされる。
【００７９】
次に、模様縫いミシン１の制御系について説明する。
図２３に示すように、制御装置１４５は、ＣＰＵ１４６とＲＯＭ１４７とＲＡＭ１４８等を含むコピュータから構成されている。この制御装置１４５には、起動停止スイッチ１５０と、ミシン主軸２４の回転角度を検出する主軸位相角センサ１５１と、第１位置検出センサ７７と、第２位置検出センサ１２５と、ミシンモータ２５の為の駆動回路１５５と、押え棒モータ１５２の為の駆動回路１５６と、Ｘ方向及びＹ方向駆動モータの１０ａ，１０ｂ為の駆動回路１５７，１５８と、第１及び第２マガジンモータ８０，８８の為の駆動回路１５９，１６０と、第１及び第２回転用モータ１２０，１３２の為の駆動回路１６１，１６２と、第１及び第２上下動エアシリンダ１０５，１３０の為の駆動回路１６３，１６４と、ロックソレノイド１３９の為の駆動回路１６５とが夫々接続されている。
【００８０】
ＲＯＭ１４７には、種々の模様縫いのデータだけでなく、加工布を切断線に沿って切断する切断用のデータ、ハトメを取り付ける取付け位置データ等、種々の縫製用データが記憶されている。ＲＯＭ１４７には、更に、模様縫いに際して工具３０，３５，４０，４５を針棒チャック部１２に装着し且つ工具５０，５５、６０を押え棒チャック部１４に装着する縫製用工具交換プログラム、加工布の切断に際してカッター用の工具４０を針棒チャック部１２に装着し且つカッター押え用の工具５５を押え棒チャック部１４に装着する切断用工具交換プログラム等、複数種類の工具交換プログラムが予め記憶されている。
【００８１】
これら複数の工具交換プログラムの各々には、第１，第２マガジンモータ８０，８８を夫々駆動して第１及び第２工具マガジン１６，１８を個別に回転駆動させるマガジン駆動制御と、第１，第２回転用モータ１２０，１３２を夫々駆動して第１及び第２交換アーム２０Ａ，２２Ａを個別に回転駆動させるとともに、第１，第２上下動エアシリンダ１０５，１３０を夫々駆動して第１及び第２交換アーム２０Ａ，２２Ａを個別に上下駆動させる交換駆動制御がセットにして予め記憶されている。
【００８２】
次に、このように構成された模様縫いミシン１の縫製動作について説明する。
模様縫いミシン１により各種の縫製動作を行なう場合、第１工具マガジン１６に設けられた８つのマガジンチャック６８には、複数種類の工具３０，３５，４０，４５が予め装着されている。第２工具マガジン１８に設けられた８つのマガジンチャック６８には、複数種類の工具５０，５５、６０が予め装着されている。このとき、針棒チャック部１２には工具３０が装着されており、押え棒チャック部１４には工具５０が装着されているものとする。
【００８３】
縫針を工具本体３２とする工具３０が針棒チャック部１２に装着されているときには、前述したように、工具ホルダ３１の係合軸部３１ａが係合穴１２ｄに係合し、しかも第１環状テーパ面３１ｂが第１環状係合面１２ｅに係合し且つ第２環状テーパ面３１ｃが第２環状係合面１２ｆに係合した状態で、針棒７が上下駆動される。この場合、第１環状テーパ面３１ｂと第１環状係合面１２ｅの水平面とのなす第１傾斜角度は夫々約４５°であり、第２環状テーパ面３１ｃと第２環状係合面１２ｆの水平面とのなす第２傾斜角度は夫々約７０°である。
【００８４】
即ち、縫製時に縫針が下降するときに発生する上向きの大きな荷重が工具ホルダ３１に作用した場合でも、この大きな荷重を、第１傾斜角度を約４５°とする第１環状係合面１２ｅで確実に受け止めることができる。しかも、この大きな荷重を、第１傾斜角度よりも大きい第２傾斜角度を有する第２環状係合面１２ｆで受け止めることにより、工具ホルダ３１には、クサビ作用により針棒チャック部１２に食い込むような進入力が作用する。それ故、工具ホルダ３１を針棒チャック部１２に、ガタツキを確実に解消して、確実に且つ堅固に装着することができる。
【００８５】
特に、針棒チャック部１２に、カッターを工具本体４２とする工具４０を装着して使用する場合には、工具ホルダ４１のホルダ中心線ＨＣと工具本体４２の工具中心線ＫＣとがシフトしているので、針棒チャック部１２には大きな曲げモーメントが作用する。しかし、前述したように、この曲げモーメントは、第２環状テーパ面３１ｃのクサビ作用による食い込むような進入力の発生により、針棒チャック部１２で確実に受け止めて解消することができる。
【００８６】
このように、針棒チャック部１２に工具３０を装着した場合、第１，第２環状係合面１２ｅ，１２ｆによる２つの係合面の組合せにより工具ホルダ３１を確実に受け止めることができる。即ち、針棒７の軸方向への荷重を第１環状係合面１２ｅにより確実に受け止め、曲げモーメントによる荷重を第２環状係合面１２ｆにより確実に受け止めることができる。
【００８７】
更に、これら２つの第１，第２環状係合面１２ｅ，１２ｆの大きさを適宜組合せることにより、針棒チャック部１２の幅方向寸法及び上下方向寸法を理想的に短く、つまり針棒チャック部１２のコンパクト化が可能になる。しかも、工具３０を針棒チャック部１２に装着している状態での、工具ホルダ３１の針棒チャック部１２に対する食い込み力が大きくないので、工具ホルダ３１が針棒チャック部１２に過度に係合するのを確実に防止することができ、第１交換アーム２０Ａによる工具ホルダ３１の針棒チャック部１２からの下方への引き抜きを容易にすることができる。
【００８８】
そこで、第１交換アーム２０Ａにより、針棒チャック部１２に既に装着されている工具３０と、第１工具マガジン１６に収納されている工具３５とを交換する交換作業について、図２４〜図２９に基づいて説明する。
【００８９】
先ず、図１，図２４−１，図２４−２に示すように、第１交換アーム２０Ａが第１工具マガジン１６の工具３０，３５，４０，４５に干渉しないように待機位置に待機している。このとき、第１上下動エアシリンダ１０５の退入駆動により、第１交換アーム２０Ａは上側の位置に上昇している。また、ロックソレノイド１３９が駆動され、前述したように、案内軸１３８と駆動レバー１３７が係合位置（図２０参照）に移動して、ロックピン１３６がロック用ディスク板１３５の係合穴１３５ａに係合するので、ミシン主軸２４の回転がその最上位置においてロックされる。
【００９０】
この状態から、第１マガジンモータ８０が駆動され、工具３５が所定の交換位置に位置するように装着円板６７が回転される。次に、図２５−１，図２５−２に示すように、第１回転用モータ１２０の駆動により、第１交換アーム２０Ａが反時計回りに約１３５°だけ回動し、第１工具マガジン１６の交換位置に位置している工具３５が第１交換アーム２０Ａの第１把持部９６ａに把持され、同時に、針棒チャック部１２の工具３０が第２把持部９７ａに把持される。
【００９１】
このとき、把持軸９８は把持バネ１００のバネ力に抗して一時的に内部に退避するが、直ぐに元の位置に復帰し、工具３５は把持ローラ９９により第１把持部９６ａにおいて確実に把持され、工具３０は把持ローラ９９により第２把持部９７ａにおいて確実に把持される。
【００９２】
その後、図２６−１，図２６−２に示すように、第１上下動エアシリンダ１０５が進出駆動されるので、第１交換アーム２０Ａが下側の位置に下降する。このとき、第１工具マガジン１６の工具３５が第１把持部９６ａに把持された状態でマガジンチャック６８から、ボールロック機構を介して引き抜かれ、しかも工具３０が第２把持部９７ａに把持された状態で針棒チャック部１２から、ボールロック機構１３を介して引き抜かれる。
【００９３】
次に、図２７−１，図２７−２に示すように、第１回転用モータ１２０の駆動により、第１交換アーム２０Ａが反時計回りに約１８０°に亙って回動し、第１把持部９６ａの工具３５が針棒チャック部１２の下側に移動し、第２把持部９７ａの工具３０が、第１工具マガジン１６の工具３５が装着されていた交換位置の下側に移動する。
【００９４】
次に、図２８−１，図２８−２に示すように、第１上下動エアシリンダ１０５が退入駆動されて、第１交換アーム２０Ａが上側の位置に上昇する。このとき、工具３５は第１交換アーム２０Ａの第１把持部９６ａに把持された状態で、針棒チャック部１２に下側から装着され、しかも工具３０は第２把持部９７ａに把持された状態で、第１工具マガジン１６の交換位置のマガジンチャック６８に下側から装着される。
【００９５】
この装着時に、工具本体３６に有する位置決めキー（図示略）の上端部分が針棒チャック部１２のキー溝１２ｇに係合し、工具３５の針棒チャック部１２に対する取付け位相が合う。しかも、この工具ホルダ３６の使用中における針棒チャック部１２に対する回転拘束が行なわれる。
【００９６】
このとき、工具３５の工具ホルダ３６の係合軸部３６ａが係合穴１２ｄに係合され、第１環状テーパ面３６ｂが第１環状係合面１２ｅに係合され、第２環状テーパ面３６ｃが第２環状係合面１２ｆに係合される。しかも、ボールロック機構１３の鋼球１３ａは、圧縮コイルバネ１３ｃのバネ力により環状凹溝３６ｇの上側部位を押圧する。それ故、工具３５は圧縮コイルバネ１３ｃのバネ力により常に針棒チャック部１２に押圧状態で装着されている。
【００９７】
その後、ロックソレノイド１３９への通電が停止され、案内軸１３８と駆動レバー１３７が圧縮コイルバネ１３ｃのバネ力により非係合位置（図２１参照）に移動するので、ミシン主軸２４の最上位置におけるロックが解除される。最終的に、図２９−１，図２９−２に示すように、第１回転用モータ１２０の駆動により、第１交換アーム２０Ａが縫製の邪魔にならない待機位置に回動される。
【００９８】
一方、押え棒チャック部１４に装着されている工具５０と、第２工具マガジン１８に収納されている工具５５，６０の何れかと、第２工具交換装置２２の第２交換アーム２２Ａにより交換する場合については、前述したように、針棒チャック部１２に装着されている工具３０と、第１工具マガジン１６に収納されている工具３５，４０，４５の何れかとを、第１工具交換装置２０の第１交換アーム２０Ａにより交換する場合と同様に交換される。それ故、その交換動作の説明を省略する。
【００９９】
但し、押え棒チャック部１４に装着されている工具５０を第１工具交換装置２０により交換する場合には、押え棒モータ１５２が駆動されて、押え棒８が上昇位置に上昇している状態で行なわれる。そして、縫製が開始されると、押え棒モータ１５２の駆動により押え棒８が押圧位置に下降し、加工布が針板３Ａ上に押圧される。
【０１００】
このように、押え足を工具本体５２に有する工具５０、カッター押えを工具本体５７に有する工具５５が押え棒チャック部１４に装着されたときにも、同様に、これら工具５０，５５，・・・を押え棒チャック部１４に、ガタツキを確実に解消して、確実に且つ堅固に装着することができる。
【０１０１】
押え棒チャック部１４に大きな曲げモーメントが作用する場合でも、第２環状テーパ面５１ｃ，５６ｃのクサビ作用による食い込むような進入力の発生により、押え棒チャック部１４で確実に受け止めて解消することができる。
【０１０２】
更に、押え棒チャック部１４に有する２つの第１，第２環状係合面の大きさを適宜組合せることにより、押え棒チャック部１４の幅方向寸法及び上下方向寸法を理想的に短く、つまり押え棒チャック部１４のコンパクト化が可能になる。しかも、工具５０を押え棒チャック部１４に装着している状態での、工具ホルダ５１の押え棒チャック部１４に対する食い込み力が大きくないので、工具ホルダ５１が押え棒チャック部１４に過度に係合するのを確実に防止することができ、第２交換アーム２２Ａによる工具５０の下方への引き抜きを容易にすることができる。
【０１０３】
このように、針棒７の下端部の針棒チャック部１２と、押え棒８の下端部の押え棒チャック部１４とを設け、第１工具マガジン１６と第２工具マガジン１８とを設け、更に、第１工具交換装置２０と第２工具交換装置２２とを設けたので、第１工具交換装置２０により針棒チャック部１２の工具３０，３５，４０，４５と第１工具マガジン１６に収納された複数種類の工具３０，３５，４０，４５のうちの１つの工具とを迅速に且つ一気に交換することができる。
【０１０４】
第２工具交換装置２２により押え棒チャック部１４の工具５０，５５、６０と第２工具マガジン１８に収納された複数種類の工具５０，５５、６０のうちの１つの工具とを迅速に且つ一気に交換することができる。
【０１０５】
また、第１工具交換装置２０により針棒チャック部１２の工具３０，３５，４０，４５を交換する際に、針棒７が最上位置に保持する為にミシン主軸２４の回転をロックさせるロック機構２６を設けたので、工具交換に際して、このロック機構２６によりミシン主軸２４が回転しないようにロックして針棒７の高さ位置を最上位置に位置決めすることができ、工具交換作業を迅速に且つ正確に行なうことができる。
【０１０６】
更に、複数種類の工具３０，３５，４０，４５、５０は、縫針と、加工布に描画する描画ペンと、加工布を切断する為のカッターと、加工布にハトメをプレスするハンマーと、布押えを夫々工具本体とするので、これらの工具３０，３５，４０，４５、５０を組み合わせて用いることにより、加工布の縫製だけでなく、加工布の裁断、加工布に縫製線を描いたり印しを付ける、加工布にハトメをプレスする等、縫製に関連する種々の作業を行なうことができる。
【０１０７】
次に、前記実施例を部分的に変更した変更形態について説明する。
１）第１，第２工具マガジン１６，１８の外周部に、９つ以上の複数のマガジンチャック６８を均等距離おきに配置するようにしてもよい。
【０１０８】
２）複数種類の工具として、丸や四角等、種々の形状の穴を加工布に開ける穴あけ具を有する工具、電熱を内蔵したヒーター棒を有する工具等、縫製作業に関連する種々の工具を使用するようにしてもよい。
【０１０９】
３）ミシン主軸２４の右端部には図示していないハンドプーリが設けられているので、ロックソレノイド１３９に通電されたときに、このハンドプーリに設けた係合穴に、ロックソレノイド１３９のプランジャを差し込むようにして、ロック機構を構成するようにしてもよい。
【０１１０】
４）ミシンモータを直流サーボモータで構成し、このミシンモータの回転を電気的にロックさせるようにしてもよい。
【０１１１】
５）本実施例では、模様縫いミシンについて説明したが、本縫いミシン等の各種のミシン、更には、上下方向向きの主軸の下端部に設けられたチャック部に、工具を装着した工具ホルダを着脱可能に装着するように構成した各種の加工装置に、本発明を適用し得ることは勿論である。
【図面の簡単な説明】
【０１１２】
【図１】本発明の実施例に係る模様縫いミシンの斜視図である。
【図２】本発明の実施例に係る模様縫いミシンの正面図である。
【図３】本発明の実施例に係る模様縫いミシンの側面図である。
【図４】縫針を有する工具の斜視図である。
【図５】縫針を有する工具の縦断断面図である。
【図６】下端部に夫々チャック部を有する針棒と押え棒の斜視図である。
【図７】針棒チャック部の要部縦断断面図である。
【図８】針棒チャック部と縫針を有する工具の要部縦断断面図である。
【図９】描画ペンを有する工具の斜視図である。
【図１０】カッターを有する工具の斜視図である。
【図１１】ハトメプレスを有する工具の斜視図である。
【図１２】押え足を有する工具の斜視図である。
【図１３】カッター押えを有する工具の斜視図である。
【図１４】ハトメホルダーを有する工具の斜視図である。
【図１５】第１工具マガジンの平面図である。
【図１６】第１工具マガジンの要部縦断側面図である。
【図１７】第１工具交換装置の斜視図である。
【図１８】第１工具交換装置の要部縦断側面図である。
【図１９】第１交換アームの斜視図である。
【図２０】模様縫いミシンのアーム部の内部構造を示す斜視図である。
【図２１】ロック機構の要部を説明する説明図である。
【図２２】ミシン主軸とロック用ディスク板の要部縦断側面図である。
【図２３】模様縫いミシンの制御系のブロック図である。
【図２４−１】待機状態の第１交換アームと針棒チャック部と第１工具マガジンの平面図である。
【図２４−２】待機状態の第１交換アームと針棒チャック部と第１工具マガジンの正面図である。
【図２５−１】工具把持状態の第１交換アームを含む図２４−１相当図である。
【図２５−２】工具把持状態の第１交換アームを含む図２４−２相当図である。
【図２６−１】工具把持状態で下降した第１交換アームを含む図２４−１相当図である。
【図２６−２】工具把持状態で下降した第１交換アームを含む図２４−２相当図である。
【図２７−１】工具把持状態で回転した第１交換アームを含む図２４−１相当図である。
【図２７−２】工具把持状態で回転した第１交換アームを含む図２４−２相当図である。
【図２８−１】工具把持状態で上昇した第１交換アームを含む図２４−１相当図である。
【図２８−２】工具把持状態で上昇した第１交換アームを含む図２４−２相当図である。
【図２９−１】待機状態の第１交換アームを含む図２４−１相当図である。
【図２９−２】待機状態の第２交換アームを含む図２４−２相当図である。
【符号の説明】
【０１１３】
１      模様縫いミシン
７      針棒
８      押え棒
１２    針棒チャック部
１４    押え棒チャック部
１６    第１工具マガジン
１８    第２工具マガジン
２０    第１工具交換装置
２０Ａ  第１交換アーム
２２    第２工具交換装置
２２Ａ  第２交換アーム
２４    ミシン主軸
２５    ミシンモータ
２６    ロック機構
３０    工具（縫針）
３５    工具（描画ペン）
４０    工具（カッター）
４５    工具（ハトメプレス）
５０    工具（押え足）
５５    工具（カッター押え）
６０    工具（ハトメホルダー）
９６ａ  第１把持部
９７ａ  第２把持部
【図１】
2009011553.tif 000003
【図２】
2009011553.tif 000004
【図３】
2009011553.tif 000005
【図４】
2009011553.tif 000006
【図５】
2009011553.tif 000007
【図６】
2009011553.tif 000008
【図７】
2009011553.tif 000009
【図８】
2009011553.tif 000010
【図９】
2009011553.tif 000011
【図１０】
2009011553.tif 000012
【図１１】
2009011553.tif 000013
【図１２】
2009011553.tif 000014
【図１３】
2009011553.tif 000015
【図１４】
2009011553.tif 000016
【図１５】
2009011553.tif 000017
【図１６】
2009011553.tif 000018
【図１７】
2009011553.tif 000019
【図１８】
2009011553.tif 000020
【図１９】
2009011553.tif 000021
【図２０】
2009011553.tif 000022
【図２１】
2009011553.tif 000023
【図２２】
2009011553.tif 000024
【図２３】
2009011553.tif 000025
【図２４−１】
2009011553.tif 000026
【図２４−２】
2009011553.tif 000027
【図２５−１】
2009011553.tif 000028
【図２５−２】
2009011553.tif 000029
【図２６−１】
2009011553.tif 000030
【図２６−２】
2009011553.tif 000031
【図２７−１】
2009011553.tif 000032
【図２７−２】
2009011553.tif 000033
【図２８−１】
2009011553.tif 000034
【図２８−２】
2009011553.tif 000035
【図２９−１】
2009011553.tif 000036
【図２９−２】
2009011553.tif 000037